【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
金属パイプ製のガードフレームからなり、同ガードフレーム内に避難する者を地震等の災害から防護するための災害安全装置であって、対応する辺が短く他の対応する辺がそれより長くされた矩形状の就寝用品が設けられる設置面上において前記就寝用品を介する対向位置に就寝用品に沿って平行状をなすべく互いに平行に離間して配置される一対の下部のフレーム部分と、前記一対の下部のフレーム部分の各長手両端部から立ち上がる４本の立ち上がり部であるフレーム部分と、前記４本の立ち上がり部の隣合う２本のもの同士を立ち上がり部の上端をつなぐようにして結ぶ一対のフレーム部分であって互いに平行状をなすように配されるとともに前記立ち上がり部と共にコの字状あるいはアーチ状等をなす上部のフレーム部分とを備え、これら下部・立ち上がり部・上部のフレーム部分は、運搬可能にフレーム構成部材として分割されていて設置現場で互いに組み立て得るようになっていることを特徴とする災害安全装置。
【請求項２】
請求項１記載のものにおいて、立ち上がり部のフレーム部分は、垂直状であるとともに、上部のフレーム部分間には、カバー及び耐補強材である横架材が設けられている災害安全装置。
【請求項３】
請求項１記載のものにおいて、上部の一対のフレーム部分は、就寝用品の上方に対面するように互いに近接状とされている災害安全装置。
【請求項４】
請求項１から３までのいずれかに記載のものにおいて、下部のフレーム部分が就寝用品の短い辺に平行状とされ、上部のフレーム部分が就寝用品の長い辺に平行状とされている災害安全装置。
【請求項５】
請求項１または４記載のものにおいて、上部のフレーム部分の高さは、避難する者の座高より少し高いレベルまで低目にくるように設定されている災害安全装置。
【請求項６】
請求項１から５までのいずれかに記載のものにおいて、下部あるいは上部のフレーム部分は、就寝用品の長さに合わせて長短に長さ調節可能になっている災害安全装置。
【請求項７】
支柱状で四隅配置に設置可能な基台と、これらの基台の隣合う間を基台への挿通により連結するパイプあるいはロッド等の複数本の連結する部材からなる災害安全装置。
【手続補正２】
【補正対象書類名】明細書
【補正対象項目名】０００５
【補正方法】変更
【補正の内容】
【０００５】
【課題を解決するための手段】
前記課題を解決するため、請求項１記載の発明は、金属パイプ製のガードフレームからなり、同ガードフレーム内に避難する者を地震等の災害から防護するための災害安全装置であって、対応する辺が短く他の対応する辺がそれより長くされた矩形状の就寝用品が設けられる設置面上において前記就寝用品を介する対向位置に就寝用品に沿って平行状をなすべく互いに平行に離間して配置される一対の下部のフレーム部分と、前記一対の下部のフレーム部分の各長手両端部から立ち上がる４本の立ち上がり部であるフレーム部分と、前記４本の立ち上がり部の隣合う２本のもの同士を立ち上がり部の上端をつなぐようにして結ぶ一対のフレーム部分であって互いに平行状をなすように配されるとともに前記立ち上がり部と共にコの字状あるいはアーチ状等をなす上部のフレーム部分とを備え、これら下部・立ち上がり部・上部のフレーム部分は、運搬可能にフレーム構成部材として分割されていて設置現場で互いに組み立て得るようになっていることを特徴とする。
【手続補正３】
【補正対象書類名】明細書
【補正対象項目名】０００６
【補正方法】変更
【補正の内容】
【０００６】
請求項２記載の発明は、請求項１記載のものにおいて、立ち上がり部のフレーム部分は、垂直状であるとともに、上部のフレーム部分間には、カバー及び耐補強材である横架材が設けられている。
【手続補正４】
【補正対象書類名】明細書
【補正対象項目名】０００７
【補正方法】変更
【補正の内容】
【０００７】
請求項３記載の発明は、請求項１記載のものにおいて、上部の一対のフレーム部分は、就寝用品の上方に対面するように互いに近接状とされている。
【手続補正５】
【補正対象書類名】明細書
【補正対象項目名】０００８
【補正方法】変更
【補正の内容】
【０００８】
請求項４記載の発明は、請求項１から３までのいずれかに記載のものにおいて、下部のフレーム部分が就寝用品の短い辺に平行状とされ、上部のフレーム部分が就寝用品の長い辺に平行状とされている。
【手続補正６】
【補正対象書類名】明細書
【補正対象項目名】０００９
【補正方法】変更
【補正の内容】
【０００９】
請求項５記載の発明は、請求項１または４記載のものにおいて、上部のフレーム部分の高さは、避難する者の座高より少し高いレベルまで低目にくるように設定されている。
【手続補正７】
【補正対象書類名】明細書
【補正対象項目名】００１０
【補正方法】変更
【補正の内容】
請求項６記載の発明は、請求項１から５までのいずれかに記載のものにおいて、下部あるいは上部のフレーム部分は、就寝用品の長さに合わせて長短に長さ調節可能になっている。
【手続補正８】
【補正対象書類名】明細書
【補正対象項目名】００１１
【補正方法】変更
【補正の内容】
【００１１】
請求項７記載の発明は、支柱状で四隅配置に設置可能な基台と、これらの基台の隣合う間を基台への挿通により連結するパイプあるいはロッド等の複数本の連結する部材からなる。
【手続補正９】
【補正対象書類名】明細書
【補正対象項目名】００１２
【補正方法】変更
【補正の内容】
【００１２】
【発明の実施の態様】
以下、図示した実施形態を参照してこの発明を詳細に説明する。図１は、この発明の好適な一実施形態を示すもので、畳あるいは板間等の床面１上には、シングルサイズの敷布団２（就寝用品）が敷設され、同敷布団２上には枕３に頭を据え掛布団４等が掛けられて就寝している。尚、敷布団２（就寝用品）２は、対応する辺が短く他の対応する辺がそれより長くされた矩形状をなす。


【手続補正１０】
【補正対象書類名】明細書
【補正対象項目名】００１３
【補正方法】変更
【補正の内容】
【００１３】
Ｇはガードフレームで、同ガードフレームＧは、ステンレスや鋼鉄パイプ等を使用した４本のフレーム構成部材６…等からなっている。これらのフレーム構成部材６…は、連結部分が多少異なるだけで相互に同一あるいは対称なパイプでなっている。各フレーム構成部材６は、水平な下部７と、下部曲がり部８を介して垂直に立ち上がる立ち上がり部９と、上部曲がり部１０を介して水平に延びる上部１１からなっている。これらで構成されるガードフレームＧは、上部１１の底面の高さが、就寝する者の座高の高さより少し高い程度の低目に設定されている。これは、敷布団２の上に座った状態で出入りする際に頭を打たないようにする趣旨で、座高と敷布団２の厚みを合計したものより上部１１の底面の高さが高くなるように設定されている。


【手続補正１１】
【補正対象書類名】明細書
【補正対象項目名】００１４
【補正方法】変更
【補正の内容】
【００１４】
就寝する人の頭の側を前として説明すれば、ガードフレームＧは、フレーム構成部材６…をそれぞれ個別に運搬してきて現場において組み立てるのであるが、例えば、前側の一対、後側の一対をそれぞれ組み立てておいたものを搬入してこれらを現場で組み立てるようにしたり、左側の一対、右側の一対を予め組み立てておいて搬入し現場でこれらを結合するようにしてもよい。その他、全てのフレーム構成部材６…を個別にした状態で搬入して現場で全てを組み立てるようにすることもある。


【手続補正１２】
【補正対象書類名】明細書
【補正対象項目名】００１６
【補正方法】変更
【補正の内容】
【００１６】
これらの結合構造について説明する。左右の結合は、一方のフレーム構成部材６の端部に溶接あるいは圧入などにより結合ロッド（パイプでもよい）１３を挿入固着して突出状に備えておき、同ロッド１３の突出部に他方のフレーム構成部材６の端部パイプ部分を嵌め込むようにして止着具１４にて固着する。ロッド１３には止着具１４のためのネジ孔を明けたり、挿通孔を明けたりする他、止着具１４がロッド１３を押し止めるように構成してもよい。


【手続補正１３】
【補正対象書類名】明細書
【補正対象項目名】００１７
【補正方法】変更
【補正の内容】
【００１７】
上部の結合は、一方のフレーム構成部材６と他方のフレーム構成部材６間に結合ロッド（パイプでもよい）１５を挿通して止着具１４で前記いずれかの方法で固着する。尚、上部の結合ロッド１５は長く形成して衝撃に強く対抗するようにしてあるが、短くてもよい。また、ガードフレームＧのパイプ外周には、図２に仮想線で示すように、木目等を付した外装チューブ１７を被覆することがある。この場合、ゴムなどの弾性質のものが適切である。さらに、前記フレーム構成部材６は、ターンバックル方式で相互を結合するようにしてもよく、この場合、内部のターンバックル軸を回転操作するためのロッドが有るものと無いものがあるが、有る場合には、同操作ロッドの左右のものを利用して横架材を掛け渡してもよい。また、前記実施形態では、上下で結合方法が多少異なるが、上・下のいずれかの一方の方式でまとめてもよい。さらに、前記実施形態では、フレーム構成部材６が４分割になっていたが、左右分割のみあるいは、前後分割のみでもよい。また、前記実施形態では、左右のフレームが垂直状であったが、図１に仮想線で示すように、内向きに６０度あるいは４５度のように傾斜させてもよい。この場合、相互のフレームを上端において合わせ式にしてそのままあるいは結合することがある。前記結合部分は長さ調節可能にもすることがある。さらに、図１に仮想線で示すように、ガードフレームＧの左右間あるいは前後間には、横架材１６をカバー（連鎖状あるいは膜シート状）として及び耐補強材として横架することがある。同横架材１６は、矢印のように移動可能にすることもできる。この横架材１６により、例えば、外圧がガードフレームＧに作用した場合により抵抗力を発揮するとともに瓦礫や土ぼこりなどをも遮ることができるようになる。同横架材１６は、リコイルタイプで巻き戻すことができるようにしてもよい。前記ガードフレームＧの底面には、安定化の向上のため、面積のやや広い基盤を備え付けることがある。以上のことは、これから後述する全ての実施形態において個別的にあるいは適宜の組み合わせで適用することができる。尚、前記実施形態では、左右にフレーム体が設けられていたが、就寝する者の上を通過するような単一本のフレーム体からなるものでもよい。この場合、前後を分離式にする場合と一体式にする場合とがある。


【手続補正１４】
【補正対象書類名】明細書
【補正対象項目名】００１８
【補正方法】変更
【補正の内容】
【００１８】
図２は、ガードフレームＧの上部１１に緩衝材１８を設置後に装着可能なものとして設けたものを示している。この緩衝材１８は、ゴム製（ウレタン樹脂、シリコンゴムなどでもよい）であるが、その他、緩衝になる全ての材質および構造のものを含む。緩衝材１８は、一側に装着するための口が形成されて弾性変形で装着できるようになっているが、フレーム構成部材６に沿って予め嵌め込む完全筒状のものにしてもよい。尚、同緩衝材１８の形状は、角筒上、玉形その他のものでもよく、また、図示のものより長いものでもよい。この緩衝材１８は、ガードフレームＧにスライドしやすくするため、内周にナイロン等のプラスチック筒のスライダーを備えることができる。また、ガードフレームＧの底面にも緩衝材を介装してもよい。この場合の緩衝材は、図２に仮想線で示すように、緩衝材１８の左右間を継ぐ継ぎ材１９を設けてもよい。この継ぎ材１９は、ゴムや金属、プラスチックなどで形成される。このように全ての材質を採用することは他の実施形態でも全て適用される。同継ぎ材１９は複数本並列に設けることがあり、この場合、継ぎ材１９…間をカバーで継ぐようにすることもある。


【手続補正１５】
【補正対象書類名】明細書
【補正対象項目名】００２０
【補正方法】変更
【補正の内容】
【００２０】
図４は、ガードフレームＧの幅を自在に選択できるようにした実施形態を示す。同ガードフレームＧのフレーム構成部材２５は、図１のものより下部２６が短く形成され、その間に、両端に接続軸２７を備えた中間パイプ２８を止着具１４により止め付けるようにしたものである。接続軸２７がフレーム構成部材２５側に設けられていてもよい。そして、図示実線のパイプ２８は中間長さのものであるが、必要に応じて仮想線のように長いものや短いものを接続することが可能である。尚、仮想線のように、防音カバー２９を被せるようにしてもよい。このカバー２９は、他の実施形態でも適用することがある。


【手続補正１６】
【補正対象書類名】明細書
【補正対象項目名】００２１
【補正方法】変更
【補正の内容】
【００２１】
図５は、接続軸２７を別体にしてフレーム構成部材２５と中間パイプ２８との間に差し込んで止着具で連結するようにしたものである。


【手続補正１７】
【補正対象書類名】明細書
【補正対象項目名】００２２
【補正方法】変更
【補正の内容】
【００２２】
図６は、図１の実施形態を裏返して使用するようにしたガードフレームＧについてのものである。同ガードフレームＧも４分割されており、設置現場で組み立て可能になっている。３１はフレーム構成部材、３２は下部、３３は立ち上がり部、３４は上部であり、３５は接続部である。仮想線のように、立ち上がり部３３の外周に補強パイプ３６を備えたり、下部３２間に横架材３７を掛け渡したり、下部３２上にアーチ部３８を備えてガードするようにすることもある。


【手続補正１８】
【補正対象書類名】明細書
【補正対象項目名】００２３
【補正方法】変更
【補正の内容】
【００２３】
図７は図１の他の実施形態を示す。４０は第１基板、４１は第２基板で、これらは相互に移動調節可能に差し込まれ、止着具１４で固定できるようになっている。これら各基板４０，４１の前後間には、フレーム構成部材４３が接続部４４を介して立設されている。ガードフレームＧは、左右にフレーム構成部材４３，４３を備えたもので、前記両基板４０，４１上にはカバー４５が被せられるとともに、底面には緩衝材４６が介装されている。尚、基板４０の底面を介して収納ボックス４７を備えてもよい。


【手続補正１９】
【補正対象書類名】明細書
【補正対象項目名】００２９
【補正方法】変更
【補正の内容】
【００２９】
図１４は、フレーム構成部材７０をコの字形鋼に長孔を設けたりＬ形鋼を上下に合わせて形成し、同フレーム構成部材７０の開口７１を通じて横架材７２を通しローラー７３をフレーム構成部材７０自体に沿って転動操作できるようにしたものである。横架材７２が抵抗材として有効に機能するとともに横架材７２がカバーなどである場合軽く移動操作することができる。


【手続補正２０】
【補正対象書類名】明細書
【補正対象項目名】００３０
【補正方法】変更
【補正の内容】
【００３０】
図１５は、広い座盤７５の４隅を介して左右一対のコの字形フレーム構成部材７６，７６を立設してガードフレームＧを構成したもので、この場合もガードフレームＧは低目に設定され、例えば、フレーム構成部材７６を長さ調節可能に分割式に接続したり、高さ調節可能にもすることができる。また、横架材７７は矢印のようにガイドレールに沿って待避させたり上方を覆うように移動自在にすることができる。この横架材７７も対強度メンバーにすることができる。また、緩衝材を適宜に配す。フレーム構成部材７６はアーチ状にすることもできる。フレーム構成部材７６の脚部に差し込み筒を備えてもよい。


【手続補正２１】
【補正対象書類名】明細書
【補正対象項目名】００３８
【補正方法】変更
【補正の内容】
【００３８】
図２３は、金属製の基台１０５で、同基台１０５が基板１０６とスタンド１０７と挿支台１０８とからなる実施形態を示している。この場合、挿支台１０８がボックス型でその２面には四角な通孔１０９が明けられてＨ形鋼でなるフレーム構成部材１１０が挿通支持されている。尚、基台１０５は上下にストレートなもの、あるいは下部が太い径になったものなどでもよい。同図に仮想線で示すように、挿支台１０８に受筒１１１を備えて、これにフレーム構成部材１１０を挿通させてもよい。また、仮想線１１２はフレーム構成部材１１０に装着される緩衝材で、楕円形や円筒形のものなどである。さらに、前記では金属製としたが、木質やプラスチック製のものでもよい。


【手続補正２２】
【補正対象書類名】明細書
【補正対象項目名】００４４
【補正方法】変更
【補正の内容】
【００４４】
図３２は、コの字形に曲げたパイプでなるフレーム構成部材１４７を左右両側に備えるに当たって基板１４８上に挿通筒１４９を備えたものに挿通支持するもので、特に、挿通筒１４９の一方のものが２本配されているので、矢印のように非使用時にコンパクトに収めることができる。併設した挿通筒１４９は溶接一体化してもよい。


【手続補正２３】
【補正対象書類名】明細書
【補正対象項目名】００４５
【補正方法】変更
【補正の内容】
【００４５】
図３３は、座板１５１上にＬ形フレーム構成部材１５２の一対を立設したものを対向配置してその間を接続パイプ１５３で継いだもので、仮想線のように外パイプ１５４で接続してもよいものにおいて、仮想線のように左右間を横架材１５５で継いだもので、このようにすると、横架材１５５を利用して首伸長運動や脚載せ運動などの健康増進に利用可能なものである。尚、１５６は防音や防火等の機能をもち衣服掛けも兼用する楯である。座板１５１の延長により同時に立て付けられる。この楯１５６にも災害安全機能を持たせることができる。


【手続補正２４】
【補正対象書類名】明細書
【補正対象項目名】００４８
【補正方法】変更
【補正の内容】
【００４８】
図３６は、コの字形をしたフレーム構成部材１７２を複数本並列に配し、これらを止着具１７３により机１７４に連結支持させたものである。１７５は横架材である。フレーム構成部材１７２は３本以外にさらに本数を増やすことがある。


【手続補正２５】
【補正対象書類名】明細書
【補正対象項目名】００４９
【補正方法】変更
【補正の内容】
【００４９】
図３７は、フレーム構成部材１７７を座板１７８で連結したものを家屋の柱（２階まで１本通しのもの、それ以外のものを含む）１７９に連結材１８０を介して連結したものである。図３６、図３７の他にガイドフレームを敷居や鴨居などに連結支持してもよい。


【手続補正２６】
【補正対象書類名】明細書
【補正対象項目名】００５０
【補正方法】変更
【補正の内容】
【００５０】
図３８は、ベッド等の寝台１８２に左右一対のフレーム構成部材１８３を立設したもので、この寝台１８２に老人等の介護用の開閉蓋１８４を備えてこれを開くことで排泄用に使えるようにしたものである。


【手続補正２７】
【補正対象書類名】明細書
【補正対象項目名】００５１
【補正方法】変更
【補正の内容】
【００５１】
図３９は、リハビリ等に使用される装置についてのもので、前後に斜面１８６を備えた歩み台１８７に左右一対のフレーム構成部材１８８を立設するとともにその間の歩み面に履帯運動をするコンベア１８９を備えてフレーム構成部材１８８を掴みながらコンベア１８９上で歩み運動をすることができるようにされ、しかも、フレーム構成部材１８８に連結具１９０を介して鉄棒１９１を備えたものである。歩み台１８７上に下敷と寝具を敷いて就寝可能にしてもよい。


【手続補正２８】
【補正対象書類名】明細書
【補正対象項目名】００５２
【補正方法】変更
【補正の内容】
【００５２】
図４０は、寝台１９３に左右一対のフレーム構成部材１９４を立設したもので、同寝台１９３には炭、脱臭剤、防災用品、非常食料品などを適宜に収納しておくように構成してある。１９５がその引き出しである。尚、フレーム構成部材１９４には、家屋あるいは家具の倒壊による外圧を緩和するための移動調節自在な緩衝材１９６を備えてある。


【手続補正２９】
【補正対象書類名】明細書
【補正対象項目名】００５３
【補正方法】変更
【補正の内容】
【００５３】
図４１は、他の全ての実施形態でも採用できるものであるが、フレーム構成部材１９８の脚部を座板１９９上の挿通筒２００内に差し込むようにしたものにおいて、フレーム構成部材１９８の下端には、一方に開放するスリット２０１を形成しておき、挿通筒２００に通された止着具２０２にこのスリット２０１を差し込み、さらに止着具２０２を締め付けることで相互の固定がなされる。尚、上下調節可能にもする。また、挿通筒２００内には緩衝材２０３を備えることもある。


【手続補正３０】
【補正対象書類名】明細書
【補正対象項目名】００５４
【補正方法】変更
【補正の内容】
【００５４】
図４２は、座板２０５で支持した左右一対のフレーム構成部材２０６上に移動自在な横架材２０７…を備えたものにおいて、同横架材２０７の端部を、図４３に示すように、フレーム構成部材２０６の外周に巻き込むような形状にしたものである。


【手続補正３１】
【補正対象書類名】明細書
【補正対象項目名】００５５
【補正方法】変更
【補正の内容】
【００５５】
図４４は、低いフレーム構成部材２１０を架台２１１の左右に立設してガードフレームを構成したものにおいて、特に介護に配慮をした装置に関する。架台２１１の上板２１２には、ヒンジ２１３を介して上下運動可能に起倒フレーム２１４を備え、同起倒フレーム２１４からはレバー２１５が突出しており、同レバー２１５がエアー駆動装置２１６が作動するようになっている。同装置２１６が作動すると、起倒フレーム２１４が水平から垂直まで起立し、被介護人を自動的に起こすことができる。他の実施形態として、フレーム構成部材２１０から補助フレーム２１８を高く立設し、同補助フレーム２１８にモーター２１９により駆動されるホイール２２０を回転駆動し、他のホイール２２１を介して起倒フレーム２１４を起倒させる。被介護人の腰を上下させ得る装置として、上板２１２には、昇降台２２３がガイドレール２２４に沿ってローラー２２５で上下し得るようにされ、これを昇降駆動装置２２６により上下させるようになっている。これにより自動で起立させ得るようになる。